(57)【要約】  搬送システム（１００）であって、搬送システム（１００）の送り方向（Ｆ）に沿って実質的に平行に延在する２つの軸線方向に離間した支持フレーム（２、３）と、上記支持フレーム（２、３）によって支持された少なくとも１つの複数の駆動要素（１２）と、上記複数の駆動要素（１２）の少なくとも一部を駆動するための少なくとも１つのモータ（９）と、上記モータ（９）から上記複数の駆動要素（１２）の上記少なくとも一部に運動を伝達するための少なくとも１つのトランスミッションアセンブリと、上記複数の駆動要素（１２）の駆動を制御する制御システムと、上記制御システムおよび上記少なくとも１つのモータ（９）に電力を供給する電力供給システムであって、上記電力供給システムは、主電圧を少なくとも１つのＤＣ電圧に変換するように設計された少なくとも１つの電源基盤（７）を備える、電力供給システムとを備える搬送システム（１００）において、搬送システムは、２つの支持フレーム（２、３）の間で横方向に延在する少なくとも１つのハウジング区画（１）を備え、上記少なくとも１つのハウジング区画（１）には、上記電力供給システムの上記少なくとも１つの電源基盤（７）を収容するための少なくとも１つのハウジング座部が設けられていることを特徴とする、搬送システム（１００）が説明される。
2018531855.tif 000002
【特許請求の範囲】
【請求項１】
搬送システム（１００）であって、
前記搬送システム（１００）の送り方向（Ｆ）に沿って実質的に平行に延在する２つの軸線方向に離間した支持フレーム（２、３）と、
前記支持フレーム（２、３）によって支持された少なくとも１つの複数の駆動要素（１２）と、
前記複数の駆動要素（１２）の少なくとも一部を駆動するための少なくとも１つのモータ（９）と、
前記モータ（９）から前記複数の駆動要素（１２）の前記少なくとも一部に運動を伝達するための少なくとも１つのトランスミッションアセンブリと、
前記複数の駆動要素（１２）の駆動を制御する制御システムと、
前記制御システムおよび前記少なくとも１つのモータ（９）に電力を供給する電力供給システムであって、前記電力供給システムは、主電圧を少なくとも１つのＤＣ電圧に変換するように設計された少なくとも１つの電源基盤（７）を備える、電力供給システムと
を備え、
前記搬送システムは、前記２つの支持フレーム（２、３）の間で、１つの支持フレーム（２）から残りの支持フレーム（３）へと横方向に延在する少なくとも１つのハウジング区画（１）を備え、前記少なくとも１つのハウジング区画（１）には、前記電力供給システムの前記少なくとも１つの電源基盤（７）を収容するための少なくとも１つのハウジング座部が設けられていることを特徴とする、搬送システム（１００）。
【請求項２】
前記少なくとも１つのモータ（９）は、前記少なくとも１つのハウジング区画（１）の外部に配置されていることを特徴とする、請求項１に記載の搬送システム（１００）。
【請求項３】
前記複数の駆動要素（１２）の駆動を制御する前記制御システムは、前記少なくとも１つのハウジング区画（１）の外部に配置されていることを特徴とする、請求項１または２に記載の搬送システム（１００）。
【請求項４】
前記少なくとも１つのハウジング区画は、主電圧を少なくとも１つのＤＣ電圧に変換するように構成された前記少なくとも１つの電源基盤（７）を少なくとも部分的に収容するキャビティを備えることを特徴とする、請求項１〜３のいずれか一項に記載の搬送システム（１００）。
【請求項５】
前記少なくとも１つのハウジング区画（１）を前記２つの支持フレーム（２，３）の間に拘束するための締結手段（１３、１６）を備えることを特徴とする、請求項１〜４のいずれか一項に記載の搬送システム（１００）。
【請求項６】
前記締結手段は、タッピンねじ（１６）を備えることを特徴とする、請求項５に記載の搬送システム（１００）。
【請求項７】
前記少なくとも１つのハウジング区画（１）は、取り外し可能な壁（８）を備える四角形断面を有する実質的に管状の形状を有することを特徴とする、請求項１〜６のいずれか一項に記載の搬送システム（１００）。
【請求項８】
前記ハウジング座部は、前記電源基盤（７）を前記取り外し可能な壁（８）に対して垂直に収容するように設計されていることを特徴とする、請求項７に記載の搬送システム（１００）。
【請求項９】
前記ハウジング区画（１）は、放熱手段（４、５ａ、５ｂ）を備えることを特徴とする、請求項１〜８のいずれか一項に記載の搬送システム（１００）。
【請求項１０】
前記ハウジング区画（１）は、アルミニウム製であることを特徴とする、請求項１〜９のいずれか一項に記載の搬送システム（１００）。
【請求項１１】
前記ハウジング区画（１）は、鋼製であることを特徴とする、請求項１〜１０のいずれか一項に記載の搬送システム（１００）。
【請求項１２】
前記ハウジング区画（１）は、押し出し成形によって作られることを特徴とする、請求項１〜１１のいずれか一項に記載の搬送システム（１００）。
【発明の詳細な説明】
【技術分野】
【０００１】
本発明は、搬送システム、すなわち所定の経路に沿って物体および／または人を駆動するシステムの分野に関する。特に、本発明は、ベルト、ローラ、スケート、ホイール、スラット、チェーン等のコンベヤのような搬送システムに特に使用される。
【背景技術】
【０００２】
搬送システムは、１００年以上にわたって知られており、通常、例えば、箱、小包、スーツケース、書簡、包装材料のような製品のための、または、ベルトコンベヤ、エスカレータなどの場合などの人のための供給経路を画定するように配置された複数の駆動要素を含む。一般に、これらのシステムは、人および／または物体を作業ステーションと後続のステーションとの間で駆動することを可能にする。
【０００３】
搬送システムは、例えば、郵便局、空港、および様々なタイプの製造または物流産業のような、非常に広範囲の用途を有し、製造工程またはその活動の間に、いくつかの作業ステーション（組み立てライン、生産ラインなど）の間で製品を駆動することを可能にする。
【０００４】
例えば、搬送システムは、典型的には、駆動要素（ローラおよび／またはホイールなど）を駆動するために電気モータを設けられている。制御システム（例えば、マスタ／スレーブタイプのもの）は、電気モータを動作させ、製品の流れをライン経路全体に沿って管理することを可能にする。電気モータおよび制御システムの回路は、主電源電圧を電力供給されるべき装置のタイプ（電気モータ、制御回路など）に適したＤＣ電圧に変換するために、典型的には変圧器およびＡＣ／ＤＣコンバータを設けられた１つまたは複数の電源基盤を備える電力供給システムによって電力を供給される。
【０００５】
電力供給システムは、通常、コンベヤフレーム上に横方向に固定されたサブステーション内の搬送システムの経路に沿って分散される。サブステーション内には、搬送システムの特定の部分に関連する電気モータおよび制御回路に電力を供給するための電源基盤が収容されている。
【０００６】
電源基盤は動作中に大量の熱を発生する可能性があり、そのため、通常、サブステーション内の過熱を防ぐため、サブステーションは大きく作られる。さらに、供給回路の冷却を容易にするために、サブステーション壁に通気孔を設けることができる。
【０００７】
作業環境によっては、例えば、結露に起因してサブステーションの外壁に水滴が発生することがある。通気孔を通過した水は、サブステーションに浸入し、それによって、サブステーション内に収容された電源基盤に損傷を与える可能性がある。
【０００８】
本出願人は、当該技術分野における大きな問題は、状況によってはライン経路に沿って移動する製品の障壁となり得るサブステーションが相当量にのぼることであることに気づいた。例えば、搬送システムが、数フロア（一方は他方の上にある）にわたって延在し、かつ／または互いに隣接して延在する経路部分を含む場合、サブステーションは、その中に収容された供給回路を検査するためにオペレータがアクセスできるようにするとともに、製品輸送の障壁にならないように１つずつ配置されなければならない。サブステーションの最適な配置を達成することは必ずしも容易ではない。電力供給システムのための専用の配置を事例ごとに実装すると、工数およびコストの点で膨大な時間がかかる。
【０００９】
本出願人はさらに、特定の搬送システムに事例ごとに専用の制御および電力供給システムを実装する場合、搬送システムを製造する企業にとって、いくつかのタイプの中央ユニット、締結部材および種々のワイヤハーネスに関連して非常に広い倉庫が必要になり得ることに気づいた。
【発明の概要】
【発明が解決しようとする課題】
【００１０】
したがって、本出願人は、標準的で迅速かつ容易な操作によって電力供給システムを収容し設置することができる、製造が容易な新規コンベヤを提供する必要があることを見出した。
【課題を解決するための手段】
【００１１】
したがって、本発明の第１の態様は、搬送システムであって、
搬送システムの送り方向に沿って実質的に平行に延在する２つの軸線方向に離間した支持フレームと、
上記支持フレームによって支持された少なくとも１つの複数の駆動手段と、
上記複数の駆動要素の少なくとも一部を駆動するための少なくとも１つのモータと、
上記モータから上記複数の駆動要素の上記少なくとも一部に運動を伝達するための少なくとも１つのトランスミッションアセンブリと、
上記複数の駆動要素の駆動を制御する制御システムと、
上記制御システムおよび上記少なくとも１つのモータに電力を供給する電力供給システムであって、上記電力供給システムは、主電圧を少なくとも１つのＤＣ電圧に変換するように設計された少なくとも１つの電源基盤を備える、電力供給システムと
を備え、
前記搬送システムは、２つの支持フレームの間で横方向に延在する少なくとも１つのハウジング区画を備え、上記少なくとも１つのハウジング区画には、上記電力供給システムの上記少なくとも１つの電源基盤を収容するための少なくとも１つのハウジング座部が設けられていることを特徴とする、搬送システムに関する。
【００１２】
さらに、本発明の範囲において、「横方向」および「横方向に」とは、搬送システムの送り方向、すなわち物品の送り方向と実質的に直交する方向を意味する。
【００１３】
他方、「長手方向」とは、搬送システムの送り方向と実質的に平行な方向またはこれと一致する方向を意味する。
【００１４】
電源基盤のハウジングの大きさは、２つの支持フレームに対して横方向に延在する少なくとも１つのハウジング区画を設け、それによって搬送システムの全体構造がよりコンパクトになることによって最適化することができる。さらに、本発明によって、搬送システムの組み立ては、いかなる種類の供給経路にとっても標準的な動作という結果になる。ハウジング区画は、送り方向に沿って移動する物品に対する障壁にならないように位置決めされる。
【００１５】
上記態様において、本発明は、以下に記載される好ましい特徴の少なくとも１つを有することができる。
【００１６】
好ましくは、上記少なくとも１つのモータはＤＣ電気モータである。
【００１７】
代替的に、上記少なくとも１つの電気モータはＤＣ電気モータである。
【００１８】
有利には、モータは、上記少なくとも１つのハウジング区画の外部に配置される。
【００１９】
好ましくは、上記複数の駆動手段の駆動を制御する制御システムは、上記少なくとも１つのハウジング区画の外部に配置される。
【００２０】
有利には、２つの支持フレームの間に上記少なくとも１つのハウジング区画を拘束するための締結手段が存在する。好都合には、締結手段はタッピンねじ（Ｓｅｌｆ−Ｔｈｒｅａｄｉｎｇ  Ｓｃｒｅｗ）を備える。
【００２１】
有利には、上記少なくとも１つのハウジング区画は、取り外し可能な壁を含む四角形断面を有する実質的に管状の形状を有する。この態様は、電源基盤および／または電力供給ケーブルをハウジング区画内に配線および位置決めする際に特に有利である。
【００２２】
好都合には、上記ハウジングは、上記電源基盤を上記取り外し可能な壁に対して垂直に収容するように設計されている。
【００２３】
この態様によって、ハウジング区画は、例えば電源基盤の交換のために、電源基盤の検査および／または取り外しを単純化することを可能にする。
【００２４】
有利には、上記ハウジング区画は、熱を放散するための手段を備える。
【００２５】
好ましくは、上記ハウジング区画はアルミニウム製である。
【００２６】
好ましくは、上記ハウジング区画は鋼製である。
【００２７】
好都合には、上記ハウジング区画は押し出し成形によって作られる。
【００２８】
好ましくは、ハウジング区画は、主電圧を少なくとも１つのＤＣ電圧に変換するように構成された上記少なくとも１つの電源基盤を少なくとも部分的に収容するキャビティを含む。
【００２９】
これらの態様によって、軽量で耐性があり、内部に収容された電源基盤によって発生した熱を効果的に放散することができるハウジングを確実に作成することができる。
【００３０】
本発明のさらなる特徴および利点は、本発明による新規の搬送システムのいくつかの好ましい、ただし排他的でない実施形態の詳細な説明からより明らかになるであろう。
【００３１】
この説明は、限定ではなく例示の目的のためだけに提供される添付の図面を参照することによって以下に説明される。
【図面の簡単な説明】
【００３２】
【図１】本発明の特定の実施形態による搬送システムの概略正面斜視図である。
【図２】本発明の特定の実施形態による搬送システムの概略平面図である。
【図３Ａ】本発明による搬送システムの第１の実施形態によるハウジング区画の概略斜視図である。
【図３Ｂ】本発明による搬送システムの第２の実施形態によるハウジング区画の概略斜視図である。
【図４Ａ】本発明による搬送システムの第１の実施形態によるハウジング区画の概略分解図である。
【図４Ｂ】本発明による搬送システムの第２の実施形態によるハウジング区画の概略分解図である。
【図５Ａ】本発明による搬送システムの第３の実施形態によるハウジング区画の概略正面図である。
【図５Ｂ】本発明による搬送システムの第３の実施形態によるハウジング区画の概略斜視図である。
【発明を実施するための形態】
【００３３】
図１および図２を参照すると、搬送システムが参照符号１００によって示されている。説明を簡単にするために、以下、特定の搬送システム１００を参照するが、本発明は、任意の搬送システム、すなわち、搬送システム、生産ライン、組み立てライン、コンベヤベルト、エスカレータなどのような、所定の経路に沿って物体および／または人を駆動するための一般的なシステムに適用することができる。
【００３４】
図１を参照すると、搬送システム１００は、コンベヤ１００の送り方向Ｆに沿って実質的に平行に延在する２つの軸線方向に離間した支持フレーム２，３を有する。矢印Ｆで示された送り方向は、コンベヤ１００の延在方向を示す。
【００３５】
支持フレーム２，３は、好ましくは、例えばＣ断面またはＬ断面を有する２つの半殻を結合することによって得られる管状の形状を有する。有利には、支持フレーム２，３は、押し出し材料、例えば押し出しアルミニウムまたは代替的に強化押し出しプラスチック材料から作られる。
【００３６】
搬送システム１００は、２つの支持フレーム２，３によって支持される少なくとも１つの複数の駆動要素１２と、上記複数の駆動要素の少なくとも一部を駆動するための少なくとも１つのモータ９とをさらに備える。好ましくは、モータ９はＤＣモータ９である。好ましくは、各支持フレーム２，３に対して、実質的に搬送システム１００の全範囲に沿って並んで延在する複数の駆動要素１２が存在する。
【００３７】
図１に示す実施形態では、駆動要素１２は、支持シャフト１２ａによって支持フレーム２，３に回転可能に拘束された少なくとも１つの複数のホイールを含む。
【００３８】
特に、搬送システム１００は、モータ９から少なくとも１つの複数の駆動要素１２へと運動を伝達する少なくとも１つのトランスミッションアセンブリを含む。
【００３９】
詳細には、各支持シャフト１２ａは、少なくとも１つのベアリングによって支持フレーム２または３に回転可能に拘束されている。支持シャフトは、好ましくは、モータ９からホイール１２に運動を伝達するための、すなわち、駆動シャフトの運動を少なくとも１つの支持シャフト１２ａに伝達するためのトランスミッションアセンブリを構成するフレーム２，３の内部に収容されている駆動ベルトまたはチェーン（図示せず）によって駆動される。
【００４０】
特に、図１の実施形態では、モータ９の駆動シャフトが支持フレーム３内に嵌め込まれ、モータ９が外側から支持フレーム３に対して拘束される。さらなる実施形態では、モータ９は、支持フレーム２または３の内部に完全に収容することができるが、依然として本発明の保護範囲内に入る。
【００４１】
さらなる実施形態は、ローラ、ベルトなどの、図１に示すホイールとは異なる駆動要素１２を提供することができるが、依然として本発明の保護範囲内にある。ホイール１２または一般に駆動手段１２を駆動することによって、コンベヤ１００の送り方向Ｆに沿って、例えば物品または製品を変位させることが可能である。
【００４２】
搬送システム１００は、駆動要素１２の駆動を制御する制御システムを設けられる。好ましくは、制御システムは、例えば支持フレーム２，３の内部に収容された少なくとも１つの制御ユニット１１と、コンベヤ１００の供給経路に沿って配置された物体を検出するための少なくとも１つのセンサ（図示せず）とを備える。特に、制御ユニット１１は、物品または製品が送り方向に沿って円滑に循環することを保証するために、物体を検出するためのセンサから受信した信号に応じて、１つまたは複数のモータ９を作動させる。
【００４３】
例えば、制御システムは、被供給物が検出される経路部分に関連する駆動要素１２を駆動するための１つまたは複数のモータ９を駆動することができる。言い換えれば、経路部分内で被供給物が検出されない場合、例えば、送り方向Ｆの上流の経路部分に接近し、当該経路部分から入来する物体が検出されるまで、駆動要素１２は駆動されない。
【００４４】
制御システムは、例えばマスタ−スレーブタイプであり得る、すなわちマスタ制御ユニットおよびスレーブ制御ユニットを設けられ得る。制御システムは、２つの支持フレーム２，３の一方に配置されている。
【００４５】
好ましくは、スレーブ制御ユニットは相互に接続され、各スレーブ制御ユニットは情報を交換しスレーブ制御ユニットを協調させることを可能にするＡＳインターフェースデータ交換ケーブルを介してマスタ制御ユニットに接続される。したがって、上記少なくとも１つのＡＳインターフェースデータ交換ケーブルは、主に２つの支持フレーム２，３のうちの１つの内部で動作する。
【００４６】
したがって、搬送システム１００は、各々が主制御ユニットおよび複数のスレーブ制御ユニットによって画定されるマクロ作業領域に分割され、各スレーブ制御ユニットは、モータ９、および、物体を検出するための少なくとも１つのセンサに関連付けられる。
【００４７】
マスタ制御ユニットは、各二次ゾーンの物体を検出するセンサから入来する信号に応じて、スレーブ制御ユニットに提出されるべきコマンドを処理する。好ましくは、各二次ゾーンは、供給される物品または製品が互いに絶対に接触することができないように、個別に制御される。あるゾーンの駆動要素１２は、後続のゾーン（すなわち、送り方向Ｆに沿って下流にある）が空になるまで駆動されない。
【００４８】
搬送システム１００はさらに、制御システムおよびモータ９に電力を供給するための電力供給システムを設けられる。特に、電力供給システムは、主電圧を変換するように設計された少なくとも１つの電源基盤７を備える。
【００４９】
特に、電力供給システムは、主（交流）電圧を少なくとも１つのＤＣ電圧に変換するように設計された少なくとも１つの電源基盤７を備える。
【００５０】
搬送システム１００は、２つの支持フレーム２，３の間に横方向に延在する少なくとも１つのハウジング区画１を備える。特に、ハウジング区画１は支持フレーム２から残りの支持フレーム３まで延在する。ハウジング区画１は、電力供給システムの１つまたは複数の電源基盤７を収容するために、少なくとも１つのハウジング座部を設けられる。
【００５１】
この解決策は、供給経路に沿ってサブステーションを位置決めし配列するために毎回評価することなく、電源基盤を標準的に収容することを可能にする。
【００５２】
図１に示す実施形態では、２つのハウジング区画１を見ることができるが、さらなる実施形態は、より多くの数のハウジング区画１を提供することができる。例えば、一実施形態は、搬送システム１００が、好ましくは、送り方向に沿って配置され、互いに所定の距離だけ離間された複数のハウジング区画１を備えることを可能にすることができる。
【００５３】
各ハウジング区画１は、好ましくは、電源基盤７を収容するためにハウジング座部を設けられる。いずれにしても、追加の実施形態は、例えば、それぞれの複数の電源基盤を収容するために複数のハウジング座部を備えた単一のハウジング区画１を含む搬送システムを提供することができる。
【００５４】
言い換えれば、電力供給システムのすべての電源基盤は、１つまたは複数のハウジング区画１内に収容される。一般に、搬送システム１００は、少なくとも１つの電源基盤を設けられた電力供給システムと、上記少なくとも１つの電源基盤７を収容するための少なくとも１つのハウジング座部を設けられた少なくとも１つのハウジング区画１とを備える。
【００５５】
ハウジング区画の特別な配置は、搬送システムのサイズを縮小することを可能にする。特に、搬送システムの２つの支持フレームの間に１つまたは複数のハウジング区画１を横方向に配置することによって、送り方向に沿った物品の進行が阻止されない。このようにして、送り経路に応じた電源基盤の配置およびハウジングの評価を前もって必要とすることなく、供給経路の一部が、いくつかのフロア（一方が他方の上にある）にわたって、かつ／または互いに隣接して延在することができる搬送システムを実装することができる。
【００５６】
したがって、ハウジング区画１は、電源基盤７のみを含み、モータ９もしくはモータシャフト、または複数の駆動手段１２の駆動を制御する制御システムを含まない。
【００５７】
実際には、モータ９および複数の駆動手段１２の駆動を制御する制御システムは、ハウジング区画１の外部に配置される。
【００５８】
図２は、ハウジング区画１の内部に収容された電源基盤７を備える搬送システム１００の実施形態を概略的に示す。電源基盤７は、例えば主電圧（例えば、１１０Ｖ〜１４０Ｖ  ＡＣまたは２００Ｖ〜４００Ｖ  ＡＣに等しい）を少なくとも１つのＤＣ電圧に変換するための変圧器、ＡＣ／ＤＣコンバータまたは同様の手段を含む。主電圧は、接続プラグ６を介して電源基盤７に接続された電力供給ケーブル１４を介して電源基盤に入力される。好ましくは、電源基盤は、入力ＡＣ電圧を２つのＤＣ電圧に変換するように設計されている。例えば、電源基盤は、約４８Ｖ  ＤＣの第１の供給電圧（例えば、電気モータ９に電力を供給するための）および約３０Ｖ  ＤＣの第２の供給電圧（例えば、制御システムの制御ユニット１１に電力を供給するための）を出力するように設計することができる。ＤＣ電圧は、追加の接続プラグ６によって電源基盤７の出力に接続された電力供給ケーブル１５によって、電気モータ９および制御ユニット１１に与えられる。好ましくは、電力供給ケーブル１５は、ＡＳインターフェースタイプのケーブルである。
【００５９】
ハウジング区画１は、好ましくは、四角形断面を有する実質的に管状の形状を有する。この形状により、電力供給ケーブル１４，１５が、ハウジング区画の内部を容易に通過して電源基盤７に接続されることが可能になる。特に、主電圧の電力供給ケーブル１４は、支持フレーム２内に収容され、支持フレーム２上に形成された１つまたは複数の横方向通路（図示せず）によって、電力供給ケーブル１４が、支持フレーム２とハウジング区画１との間に通される。同様に、ＤＣ電圧の電力供給ケーブル１５は、支持フレーム３、すなわち、電気モータ９および制御ユニット１１が配置されている支持フレームの内部に収容されることが好ましい。したがって、支持フレーム３上に形成された横方向通路によって、電力供給ケーブル１５は、ハウジング区画１と支持フレーム３との間に通される。
【００６０】
ハウジング区画１は、締結手段１６によって２つの支持フレーム２，３の間で横方向に拘束されている。締結手段１６は、好ましくは、ハウジング区画１内に形成された適切な座部に受け入れられるようになっているねじを含む。例えば、ハウジング区画は、好ましくは、支持フレーム２，３の内部からねじ止めされるタッピンねじによって迅速に拘束され得る。ハウジング区画は、搬送システムの構造に強度を与え、電力供給システムの電源基盤のための好都合なハウジングをさらに提供するのに役立つ。
【００６１】
図３〜図５を参照すると、ハウジング区画１は、取り外し可能な壁を含む四角形断面を有する実質的に管状の形状を有する。特に、ハウジング区画は、下壁８と、上壁１１と、２つの側壁１ａ、１ｂとを備えている。取り外し可能な壁８は、ハウジング区画１の下壁、すなわち搬送システム１００が設置されている環境の床に面する壁であることが好ましい。
【００６２】
取り外し可能な壁８は、２つの支持フレーム２，３の間にハウジング区画１が締結された後であっても、作業員が電源基盤および電力供給ケーブル１４，１５をハウジング区画１内に容易に収容することを可能にする。
【００６３】
図３Ａおよび図３Ｂには、ハウジング区画１の第１の実施形態が示されている。この実施形態では、ハウジング区画は、例えば鋼板を曲げることによって、またはその他の方法で押し出し成形によって、鋼から作られる。ハウジング区画１には、２つの支持フレーム２および３の間にハウジング区画１を拘束するために、締め付けねじ１６を収容するようになっている座部１３が設けられている。
【００６４】
ハウジング区画１は、放熱手段をさらに備える。好ましくは、放熱手段は、取り外し可能な壁８に形成された複数の通気孔５ａを含む。好ましくは、放熱手段は、ハウジング区画１の少なくとも１つの側壁１ａ、１ｂに形成された複数のスロット５ｂをさらに含む。
【００６５】
図３Ａおよび図３Ｂの実施形態では、スロット５ｂは、好ましくは、ハウジング区画１の両方の側壁１ａ、１ｂに形成される。好ましくは、各スロット５ｂは、ハウジング区画１の延在方向に平行な方向に沿って延在する。この実施形態では、ハウジング区画１の側壁１ａ、１ｂには、スロット５ｂの上方に配置された被覆要素１７がさらに設けられている。被覆要素１７は、好ましくは、実質的に下向きに湾曲した、または傾斜した薄板形状を有する。被覆要素１７は、ハウジング区画１の外壁に形成される可能性のある任意の水滴をハウジング区画１の外側に誘導する。このようにして、空気はスロット５ｂを通過することができ、同時に、ハウジング区画１の外壁上の任意の水滴がハウジング区画１に入ることが防止される。
【００６６】
図４Ａおよび図４Ｂには、ハウジング区画１の第２の実施形態が示されている。この実施形態では、ハウジング区画１は、好ましくはアルミニウムから、より好ましくは押し出し成形によって作られる。好ましくは、締結手段の座部１３は、ハウジング区画１の全長に沿って延在する実質的に管状の形状を有する。
【００６７】
ハウジング区画１の側壁１ａ、１ｂの内面には、電源基盤７が拘束され得るハウジング座部を画定するリブ２１，２２がある。ハウジング区画１は、ハウジング区画１の側壁１ａ、１ｂに形成され、取り外し可能な壁８に配置された追加のリブ１９，２０を備える。リブ１９，２０によって、取り外し可能な壁８をハウジング区画１の側壁１ａ、１ｂの間に拘束することができる。
【００６８】
図４Ａ、図４Ｂを参照すると、放熱手段は、ハウジング区画１から外側に突出した少なくとも１つの冷却フィン４をさらに備える。
【００６９】
好ましくは、ハウジング区画は、ハウジング区画１の少なくとも１つの側壁１ａ、１ｂに配置された複数の冷却フィン４を設けられる。図４Ａおよび図４Ｂの実施形態では、冷却フィン４は、ハウジング区画１の両方の側壁１ａ、１ｂに配置される。冷却フィンは、好ましくは、ハウジング区画１とともに押し出し成形される。ハウジング区画１内に収容された電源基盤７によって発生した熱を、冷却フィンによって外部環境に効果的に放散することができる。好ましくは、各冷却フィン４は、ハウジング区画１の延在方向に実質的に平行な方向に沿って延在する。
【００７０】
好ましくは、冷却フィンはスロット５ｂの上方に配置される。このように、冷却フィン４は、ハウジング区画１の内部から熱を逃がすだけでなく、水滴がスロット５ｂを通過することを防止することもできる。好ましくは、冷却フィン４は、ハウジング１の外壁上にある任意の水滴を下方に誘導するように、わずかに下方に傾斜している。
【００７１】
図５Ａおよび図５Ｂには、ハウジング区画１の第３の実施形態が示されている。図５Ａおよび図５Ｂを参照すると、ハウジング区画１は、取り外し可能な壁８に対して垂直に電源基盤を収容するように設計されたハウジング座部を備える。この実施形態は、電源基盤７を検査し、交換する場合に特に有利である。
【００７２】
特に、電源基盤７は好ましくは、ハウジング区画１の側壁１ａに、好ましくはこれに平行に収容される。ハウジング区画１の上壁１１の内部には、ハウジング区画１の延在方向に平行に配置された２つのリブ１８がある。電源基盤の片側は有利には、２つのリブ１８の間に挿入することができ、電源基盤７の反対側は、ハウジング区画１の側壁１ａに形成されたさらなるリブ１９によって支持される。このようなリブ１９は、側壁１ａに垂直に延在し、取り外し可能な壁８に配置されている。好ましくは、リブ１９は、上壁１１に向かって突出した部分１９ａを有するＴ字形状を有することができる。電源基盤７は、開位置と閉位置との間で可動なフック１０ａを含む回転可能なフック手段１０を備えることができる。図５Ａおよび図５Ｂでは、回転可能なフック手段１０が閉位置において示されている。この構成では、フック１０ａはリブ部分１９ａに係合し、それによって電源基盤７を取り外し可能な壁８に対して垂直に保つ。フック１０ａを開位置に向けて（例えば、閉位置に対して９０°回転させて）回転させることにより、電源基盤７を傾けてハウジング区画１から引き出すことができる。
【００７３】
同様に、取り外し可能な壁８にも回転可能なフック手段１０を設けることができる。図５Ａおよび図５Ｂの実施形態では、側壁１ａに２つの平行なリブ１９が設けられている。取り外し可能な壁の片側はリブ１９の間に挿入され、反対側は回転可能なフック手段１０によって側壁１ｂに拘束される。特に、側壁１ｂには、回転可能なフック手段１０のフック１０ａを閉位置において支持するためのリブ２０が設けられている。上述と同様に、フック１０ａを開位置に向けて回転させることにより、リブ１９から底壁を引き出すことができ、それによって、例えば電源基盤７の検査または交換のためにハウジング区画１の内部が外部から容易にアクセス可能になる。
【００７４】
既に説明したように、ハウジング区画１は有利には、単一の工程において、２つの側壁、上壁、ねじ１６を収容するための座部１３、１つまたは複数の冷却フィン４、ならびに、電源基盤７および取り外し可能な壁８を収容する内側リブ１８，１９，２０を含むプロファイルのすべての要素を有するように、押し出し成形によって製造される。
【００７５】
本発明をいくつかの実施形態を参照して説明した。詳細に示された本明細書の実施形態には、いずれにせよ添付の特許請求の範囲によって規定される本発明の保護範囲にとどまる様々な変更がなされ得る。
【図１】
2018531855.tif 000003
【図２】
2018531855.tif 000004
【図３ａ】
2018531855.tif 000005
【図３ｂ】
2018531855.tif 000006
【図４ａ】
2018531855.tif 000007
【図４ｂ】
2018531855.tif 000008
【図５ａ】
2018531855.tif 000009
【図５ｂ】
2018531855.tif 000010
【国際調査報告】
2018531855.tif 000011
2018531855.tif 000012